【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】  基端及び先端を備えた長手方向カテーテルシャフトと、
複数の熱交換要素を含む熱交換要素とを備える熱交換カテーテルにおいて、前記熱交換要素のそれぞれがある長さと対向する端部とを有し、前記カテーテルの熱交換領域が体液を含む身体の内腔または体腔内に配置される場合には、前記体液が各熱交換要素の少なくとも一部の外周を取り囲み得るように、前記熱交換要素のそれぞれが配置される熱交換カテーテル。
【請求項２】  前記熱交換要素の少なくとも一部が、その内部に流体流路を有する請求項１に記載のカテーテル。
【請求項３】  前記熱交換要素の少なくとも一部が、非円形断面を有する請求項２に記載のカテーテル。
【請求項４】  前記シャフトが、流体流入管腔と、流体流出管腔と、それら管腔の間の熱交換媒体を循環させるための循環経路とを有し、熱交換要素の少なくとも一部が前記循環経路内に位置して、前記熱交換要素を介して流体熱交換媒体の循環を可能にする請求項２に記載のカテーテル。
【請求項５】  各熱交換要素が、一端に流入オリフィスを有し、かつ対向する端に流出オリフィスを有し、前記流入オリフィス及び流出オリフィスが前記循環経路と連絡している請求項４に記載のカテーテル。
【請求項６】  各熱交換要素が、非直線状通路内を流入オリフィスから流出オリフィスへと延び、前記非直線状通路が、少なくとも１点の屈曲を有する請求項５に記載のカテーテル。
【請求項７】  前記カテーテルが各熱交換要素の流入管腔及び流入オリフィスへ開口した流入マニホルドを備え、かつ前記カテーテルが各熱交換要素の流出管腔及び流出オリフィスへ開口した流出マニホルドを備える請求項５に記載のカテーテル。
【請求項８】  前記流入マニホルドが、前記流出マニホルドについて先端側に配置されている請求項７に記載のカテーテル。
【請求項９】  前記熱交換要素が、流入オリフィス及び流出オリフィスをそれぞれ画定する対向する開口端を有する長尺状中空フィラメントからなり、各フィラメント開口端が、各マニホルド内の内部空間と連絡している請求項７に記載のカテーテル。
【請求項１０】  前記熱交換要素が、前記流入マニホルドと流出マニホルドとの間の距離よりも長い請求項７に記載のカテーテル。
【請求項１１】  前記シャフトがある長さを有し、前記熱交換領域は前記シャフトの
長さの半分よりも短い距離にわたって延びている請求項１に記載のカテーテル。
【請求項１２】  前記熱交換領域が、前記シャフトの先端部分上に位置する請求項１１に記載のカテーテル。
【請求項１３】  前記熱交換領域について基端側に位置するシャフト上に断熱部分をさらに備える請求項１１に記載のカテーテル。
【請求項１４】  前記断熱部分が、前記熱交換領域の基端側のシャフトの全長にわたって延びる請求項１３に記載のカテーテル。
【請求項１５】  前記断熱部分が前記シャフトの約８５〜９０％の長さに延び、熱交換領域は前記シャフトの残部にほぼ沿って延びる請求項１３に記載のカテーテル。
【請求項１６】  前記熱交換領域に対して基端側に位置するシャフト上に断熱部分をさらに備え、前記断熱部分は前記シャフトを取り囲む膨張式バルーンを有する請求項１に記載のカテーテル。
【請求項１７】  前記シャフトは前記バルーン内にあり、前記断熱部分が、前記バルーンの内壁と前記シャフトとの間に挟まれ、かつ前記バルーンの内壁と前記シャフトとを離間している複数の隔離碍子（ｓｔａｎｄ−ｏｆｆｓ）を備える請求項１６に記載のカテーテル。
【請求項１８】  前記断熱部分が、前記シャフトを取り囲む複数のバルーンと前記バルーンを包囲するスリーブとを備える請求項１６に記載のカテーテル。
【請求項１９】  少なくとも３つの熱交換要素を有する請求項１に記載のカテーテル。
【請求項２０】  前記熱交換要素が、前記シャフトの周りに周方向に均等に分配されている請求項１９に記載のカテーテル。
【請求項２１】  前記熱交換要素は可撓性であり、各熱交換要素の自由端が体液内を自由に漂流することが可能であるように、前記熱交換要素の各々が、前記シャフトに対して同シャフトの長さの一部に沿って拘束されている請求項１に記載のカテーテル。
【請求項２２】  前記熱交換要素が、非常に薄い壁を有するバルーンを備える請求項２１に記載のカテーテル。
【請求項２３】  前記熱交換要素が、それを介して高率の伝導性熱伝達を可能にする壁を有する請求項２１に記載のカテーテル。
【請求項２４】  前記熱交換要素は中空であり、前記シャフトは流体循環路を有し、かつ前記熱交換要素の中空内部が流体循環路と流体連通している請求項２１に記載のカテーテル。
【請求項２５】  各熱交換要素が先端及び基端を有し、各熱交換要素の先端は前記カテーテルシャフトに取り付けられている請求項２４に記載のカテーテル。
【請求項２６】  各熱交換要素が、先端及び基端を有し、かつ前記カテーテルシャフトの基端から前記カテーテルシャフトの先端を超えるまで延び、複数の熱交換要素は、それらの熱交換要素が分離して体液内を自由に浮動することが可能な同熱交換要素の先端以外では、前記シャフトにより互いに密着保持されている請求項２４に記載のカテーテル。
【請求項２７】  熱交換媒体を各熱交換要素の中空内部に対して供給及び除去するために、先端側マニホルドをさらに備える請求項２６に記載のカテーテル。
【請求項２８】  各熱交換要素が同軸の流路を備えて形成され、前記熱交換媒体が内側管腔に供給され、かつ外側管腔から除去される請求項２７に記載のカテーテル。
【請求項２９】  各熱交換要素がシングル管腔チューブのループを備え、前記熱交換媒体は前記チューブの管腔に供給される請求項２７に記載のカテーテル。
【請求項３０】  各熱交換要素は、先端及び基端を有するフィラメントからなり、前記先端は前記カテーテルシャフトに取り付けられ、
各熱交換要素はばね部材をさらに有し、該ばね部材は前記フィラメントと前記シャフトとの間に位置し、かつ体腔に挿入されるとカテーテルに外力が加わることから収縮し、そのような外力が無い場合には拡張して、前記フィラメントをシャフトから径方向に所定距離だけ離間して維持するように適合されている請求項１に記載のカテーテル。
【請求項３１】  各フィラメントは同フィラメントの基端で前記カテーテルシャフトに取り付けられ、各フィラメントは中空であり、かつその内部に液状熱交換媒体を通過させるための流体流路を備えている請求項３０に記載のカテーテル。
【請求項３２】  各熱交換要素が、上部に配置された流動中断リブ（ｆｌｏｗ  ｄｉｓｒｕｐｔｉｎｇ  ｒｉｂ）を有する棒状フィラメントを備える請求項１に記載のカテーテル。
【請求項３３】  前記流動中断リブが、前記フィラメントの周囲にらせん状に配置されている請求項３２に記載のカテーテル。
【請求項３４】  前記流動中断リブが、前記フィラメントの周囲に周方向に配置されている、請求項３２に記載のカテーテル。
【請求項３５】  前記カテーテルシャフトが、スリーブにほぼ取り囲まれた複数の熱交換要素を備え、前記熱交換領域は前記スリーブから突出する前記熱交換要素の部分を備える請求項１に記載のカテーテル。
【請求項３６】  体液との熱交換のためのシステムであって、
液状熱交換媒体と、
基端及び先端を備えたシャフトを有する熱交換カテーテルと、前記カテーテルシャフトの先端は体腔内に経皮的に挿入可能であり、前記シャフトは同シャフトを通って熱交換媒体を循環させるために内部に循環経路を有することと、
ある長さと対向する端部とを有する複数の熱交換要素と、各要素は同要素の少なくとも一端において前記シャフトに取り付けられ、かつ各要素は、内部に体液を有する流動性の体腔内に挿入されると、前記体液が前記熱交換要素の長さの一部に沿って各熱交換要素の外周を取り囲み得るように配置されることとからなるシステム。
【手続補正２】
【補正対象書類名】明細書
【補正対象項目名】００２９
【補正方法】削除
【補正の内容】